(57)【要約】【課題】  ユーザがソフトキーを有効に利用することができる電子機器を提供する。また、ソフトキーの有効利用を実質的に担保する。【解決手段】コピー待機画面Ｓｃにある一連のソフトキーＰ１〜Ｐ６の並びの最後尾に、機能が登録されておらず、任意の機能が登録可能な、空白のソフトキーＰ０を設ける。ソフトキーＰ０が押圧された場合、ソフトキーＰ０に対する機能登録処理が実行される。また、ソフトキーＰ０に登録された機能がコピーメニュー画面Ｔｃにある機能一覧表示から削除される。【選択図】図７
2007194705.tif 000002
【特許請求の範囲】
【請求項１】
機器の有する機能が登録されるソフトキーを有する入力手段と、
前記ソフトキーに対して機能を登録する機能登録手段と、
ユーザからの機能選択指示を受け付ける登録機能受付手段と、
を備え、
前記入力手段が、
機能が登録されていない未登録ソフトキー、
を備え、
前記機能登録手段が、前記未登録ソフトキーに対して、前記登録機能受付手段が受け付けた機能を登録することを特徴とする電子機器。
【請求項２】
請求項１に記載の電子機器において、
新たな未登録ソフトキーを生成する未登録ソフトキー生成手段、
を備え、
前記機能登録手段が現存する未登録ソフトキーに対して機能を登録した場合に、前記未登録ソフトキー生成手段が、新たなソフトキーを未登録ソフトキーとして生成することを特徴とする電子機器。
【請求項３】
請求項１または２に記載の電子機器において、
前記ソフトキーのそれぞれに対して、当該ソフトキーに登録されている機能を表示させる機能表示制御手段、
を備え、
前記機能表示制御手段は、前記未登録ソフトキーに対しては、機能を表示しないことを特徴とする電子機器。
【請求項４】
請求項１〜３のいずれかに記載の電子機器において、
前記未登録ソフトキーが、前記入力手段の備える前記ソフトキーの並びにおいて末尾に配置されることを特徴とする電子機器。
【請求項５】
請求項１〜４のいずれかに記載の電子機器において、
前記入力手段が、
前記未登録ソフトキーに対する機能の登録を実行させる指示を入力するための機能登録実行指示入力キー、
を備え、
ユーザが前記機能登録実行指示入力キーを操作した場合に、前記機能登録手段が前記未登録ソフトキーに対して機能を登録することを特徴とする電子機器。
【請求項６】
請求項５に記載の電子機器において、
前記機能登録実行指示入力キーが、前記未登録ソフトキー自身であることを特徴とする電子機器。
【請求項７】
請求項１〜６のいずれかに記載の電子機器において、
前記電子機器の備える機能であって前記ソフトキーに登録されていない機能を、選択可能機能として表示手段に一覧表示させる機能一覧表示制御手段と、
前記一覧表示された前記選択可能機能のうちのいずれかの機能の選択を受け付ける機能選択受付手段と、
前記機能選択受付手段が受け付けた機能を能動化する機能能動化手段と、
前記機能登録手段が前記未登録ソフトキーに対して機能を登録した場合に、当該登録された機能を、前記一覧表示される機能から削除する表示項目削除手段と、
を備えることを特徴とする電子機器。
【請求項８】
機器の有する機能が登録されるソフトキーを有する入力手段と、
前記ソフトキーに、機能を登録する機能登録手段と、
新たなソフトキーを生成するソフトキー生成手段と、
ユーザからの機能選択指示を受け付ける登録機能受付手段と、
を備え、
前記ソフトキー生成手段が前記新たなソフトキーを生成した場合に、前記機能登録手段は前記新たなソフトキーに対して前記登録機能受付手段が受け付けた機能を登録することを特徴とする電子機器。
【請求項９】
請求項８に記載の電子機器において、
前記入力手段が、
前記新たなソフトキーの生成を実行させる指示を入力するためのソフトキー生成指示入力キー、
を備え、
ユーザが前記ソフトキー生成指示入力キーを操作した場合に、前記ソフトキー生成手段が前記新たなソフトキーを生成することを特徴とする電子機器。
【請求項１０】
請求項９に記載の電子機器において、
前記ソフトキー生成指示入力キーがソフトキー自身であることを特徴とする電子機器。
【請求項１１】
請求項１０に記載の電子機器において、
前記ソフトキーのそれぞれに対して、当該ソフトキーに登録されている機能を表示させる機能表示制御手段、
を備え、
前記機能表示制御手段は、前記ソフトキー生成指示入力キーに対しては、機能を表示しないことを特徴とする電子機器。
【請求項１２】
請求項１０または１１に記載の電子機器において、
前記ソフトキー生成指示入力キーが、前記入力手段の備える前記ソフトキーの並びにおいて末尾に配置されることを特徴とする電子機器。
【請求項１３】
請求項８〜１２のいずれかに記載の電子機器において、
前記電子機器の備える機能であって前記ソフトキーに登録されていない機能を、選択可能機能として表示手段に一覧表示させる機能一覧表示制御手段と、
前記一覧表示された前記選択可能機能のうちのいずれかの機能の選択を受け付ける機能選択受付手段と、
前記機能選択受付手段が受け付けた機能を能動化する機能能動化手段と、
前記機能登録手段が前記新たなソフトキーに機能を登録した場合に、当該登録された機能を、前記一覧表示される機能から削除する表示項目削除手段と、
を備えることを特徴とする電子機器。
【発明の詳細な説明】
【技術分野】
【０００１】
この発明は、ソフトキーを有する入力手段を備える電子機器に関する。ただし、ソフトキーとは、場面に応じた機能が登録されるキーであり、ユーザはソフトキーを操作することによって当該ソフトキーに対して登録された機能を能動化することができる。
【背景技術】
【０００２】
近年においては、１つの電子機器が数多くの機能を備える傾向にある。このような状況においては、ユーザが、機器の備える数多くの機能の中から所望の機能を簡単に呼び出せるようにするための工夫が必要とされている。そこで、次のような技術が考案されている。
【０００３】
例えば、キー操作のみによって機能の選択を行う構成が特許文献１に記載されている。ここには、機器の有する各種の機能をキー情報と関連づけておき、キーが選択された場合当該キーに関連づけられた機能が呼び出される構成が記載されている。
【０００４】
また、特許文献２には、ユーザが頻繁に使用する機能のみを、実行可能な機能として設定しておく技術が記載されている。これによって、頻繁に使用する機能については簡便な操作で実行させることができる。
【０００５】
また、操作性を高めるために、ソフトキーを備える機器も多数ある。例えば、ファックス機能とコピー機能とを有する装置の場合、同一のソフトキーに対して、コピー機能が使用される場面においては、コピー操作に関する機能（例えばコピー濃度の調整機能）が割り当てられ、ファックス機能が使用される場面においては、ファックス通信に関する機能（例えばリダイヤル機能）が割り当てられる。これによって、少ないキー数で数多くの機能に対応することが可能となり、簡単な操作で、有用な機能を呼び出すことができる。
【０００６】
【特許文献１】特開２００１−２１１２４３号公報
【特許文献２】特開２００５−７５７９号公報
【発明の開示】
【発明が解決しようとする課題】
【０００７】
従来においては、ソフトキーに登録される機能は予め（すなわち工場出荷時において）登録されている。したがって、一般的に使用頻度が高い機能のみがソフトキーとして登録されていることが多い。
【０００８】
しかし、当然のことながら、装置の使用態様は個々のユーザ毎に異なるため、使用頻度の高い機能もユーザによって相違する。したがって、ユーザによっては、よく使う機能がソフトキーとして登録されていないため、ソフトキーが有効に利用できていないという状況が生じていた。
【０００９】
この発明は、このような事情に鑑みてなされたものであって、ユーザがソフトキーを有効に利用することができる電子機器を提供することを第１の目的とする。
【００１０】
また、ソフトキーの有効利用を実質的に担保することを第２の目的とする。
【課題を解決するための手段】
【００１１】
請求項１の発明は、機器の有する機能が登録されるソフトキーを有する入力手段と、前記ソフトキーに対して機能を登録する機能登録手段と、ユーザからの機能選択指示を受け付ける登録機能受付手段と、を備え、前記入力手段が、機能が登録されていない未登録ソフトキー、を備え、前記機能登録手段が、前記未登録ソフトキーに対して、前記登録機能受付手段が受け付けた機能を登録する。
【００１２】
請求項２の発明は、請求項１に記載の電子機器において、新たな未登録ソフトキーを生成する未登録ソフトキー生成手段、を備え、前記機能登録手段が現存する未登録ソフトキーに対して機能を登録した場合に、前記未登録ソフトキー生成手段が、新たなソフトキーを未登録ソフトキーとして生成する。
【００１３】
請求項３の発明は、請求項１または２に記載の電子機器において、前記ソフトキーのそれぞれに対して、当該ソフトキーに登録されている機能を表示させる機能表示制御手段、を備え、前記機能表示制御手段は、前記未登録ソフトキーに対しては、機能を表示しない。
【００１４】
請求項４の発明は、請求項１〜３のいずれかに記載の電子機器において、前記未登録ソフトキーが、前記入力手段の備える前記ソフトキーの並びにおいて末尾に配置される。
【００１５】
請求項５の発明は、請求項１〜４のいずれかに記載の電子機器において、前記入力手段が、前記未登録ソフトキーに対する機能の登録を実行させる指示を入力するための機能登録実行指示入力キー、を備え、ユーザが前記機能登録実行指示入力キーを操作した場合に、前記機能登録手段が前記未登録ソフトキーに対して機能を登録する。
【００１６】
請求項６の発明は、請求項５に記載の電子機器において、前記機能登録実行指示入力キーが、前記未登録ソフトキー自身である。
【００１７】
請求項７の発明は、請求項１〜６のいずれかに記載の電子機器において、前記電子機器の備える機能であって前記ソフトキーに登録されていない機能を、選択可能機能として表示手段に一覧表示させる機能一覧表示制御手段と、前記一覧表示された前記選択可能機能のうちのいずれかの機能の選択を受け付ける機能選択受付手段と、前記機能選択受付手段が受け付けた機能を能動化する機能能動化手段と、前記機能登録手段が前記未登録ソフトキーに対して機能を登録した場合に、当該登録された機能を、前記一覧表示される機能から削除する表示項目削除手段と、を備える。
【００１８】
請求項８の発明は、機器の有する機能が登録されるソフトキーを有する入力手段と、前記ソフトキーに、機能を登録する機能登録手段と、新たなソフトキーを生成するソフトキー生成手段と、ユーザからの機能選択指示を受け付ける登録機能受付手段と、を備え、前記ソフトキー生成手段が前記新たなソフトキーを生成した場合に、前記機能登録手段は前記新たなソフトキーに対して前記登録機能受付手段が受け付けた機能を登録する。
【００１９】
請求項９の発明は、請求項８に記載の電子機器において、前記入力手段が、前記新たなソフトキーの生成を実行させる指示を入力するためのソフトキー生成指示入力キー、を備え、ユーザが前記ソフトキー生成指示入力キーを操作した場合に、前記ソフトキー生成手段が前記新たなソフトキーを生成する。
【００２０】
請求項１０の発明は、請求項９に記載の電子機器において、前記ソフトキー生成指示入力キーがソフトキー自身である。
【００２１】
請求項１１の発明は、請求項１０に記載の電子機器において、前記ソフトキーのそれぞれに対して、当該ソフトキーに登録されている機能を表示させる機能表示制御手段、を備え、前記機能表示制御手段は、前記ソフトキー生成指示入力キーに対しては、機能を表示しない。
【００２２】
請求項１２の発明は、請求項１０または１１に記載の電子機器において、前記ソフトキー生成指示入力キーが、前記入力手段の備える前記ソフトキーの並びにおいて末尾に配置される。
【００２３】
請求項１３の発明は、請求項８〜１２のいずれかに記載の電子機器において、前記電子機器の備える機能であって前記ソフトキーに登録されていない機能を、選択可能機能として表示手段に一覧表示させる機能一覧表示制御手段と、前記一覧表示された前記選択可能機能のうちのいずれかの機能の選択を受け付ける機能選択受付手段と、前記機能選択受付手段が受け付けた機能を能動化する機能能動化手段と、前記機能登録手段が前記新たなソフトキーに機能を登録した場合に、当該登録された機能を、前記一覧表示される機能から削除する表示項目削除手段と、を備える。
【発明の効果】
【００２４】
請求項１〜１３に記載の発明によれば、ソフトキーに対してユーザの所望する機能を登録するので、ソフトキーに対する機能の登録をユーザが柔軟に行うことが可能となる。これによって、ユーザがソフトキーを有効に利用することができる。
【００２５】
特に、請求項２に記載の発明によれば、現存する未登録ソフトキーに対して機能が登録された場合に、新たなソフトキーが未登録ソフトキーとして生成される。すなわち、常に、ユーザの所望する機能を登録可能な状態となる。これによって、ユーザの所望する機能を全てソフトキーに対して登録することができるので、ユーザがソフトキーを最大限に利用することができる。
【００２６】
特に、請求項３に記載の発明によれば、未登録ソフトキーに対して機能が表示されないので、当該キーが未登録キーであることを模式的にユーザに示すことができる。
【００２７】
特に、請求項４に記載の発明によれば、未登録ソフトキーが末尾に配置されるので、未登録キー以外のソフトキーの操作が未登録ソフトキーによって妨げられることがない。したがって、ソフトキーの操作性を阻害することなく未登録ソフトキーを設けることができる。
【００２８】
特に、請求項５，６に記載の発明によれば、未登録ソフトキーに対する機能の登録を実行させるためのキーを備えているので、ユーザは、未登録ソフトキーに対する機能の登録を簡便な操作で実行させることができる。すなわち、ソフトキーの有効利用を実質的に担保することができる。
【００２９】
特に、請求項７に記載の発明によれば、機能登録手段が未登録ソフトキーに対して機能を登録した場合に、当該登録された機能を一覧表示される機能から削除するので、ソフトキーに登録された機能が選択可能機能から除かれることになる。つまり、重複して機能の能動化の方法が設けられることがないので、操作性をより高めることができる。
【００３０】
特に、請求項９，１０に記載の発明によれば、新たなソフトキーの生成を実行させる指示を入力するためのキーを備えているので、ユーザは、簡便な操作で新たなソフトキーを生成させることができ、つまりは、ユーザの所望する機能が登録されるソフトキーを容易に生成させることができる。これによって、ソフトキーの有効利用を実質的に担保することができる。
【００３１】
特に、請求項１１に記載の発明によれば、ソフトキー生成指示入力キーに対して機能が表示されない、つまりユーザは、表示がされないソフトキーを操作することによって所望する機能が登録されるソフトキーを生成させることができる。すなわち、「空白」によって、当該キーに登録されている機能（すなわち、所望する機能が登録されるソフトキーを生成する機能）を示しているので、キーの有する機能をユーザに単純明快な形で理解させることができる。
【００３２】
特に、請求項１２に記載の発明によれば、ソフトキー生成指示入力キーが末尾に配置されるので、ソフトキー生成指示入力キー以外のソフトキーの操作がソフトキー生成指示入力キーによって妨げられることがない。したがって、ソフトキーの操作性を阻害することなくソフトキー生成指示入力キーを設けることができる。
【００３３】
特に、請求項１３に記載の発明によれば、機能登録手段が新たなソフトキーに対して機能を登録した場合に、当該登録された機能を一覧表示される機能から削除するので、ソフトキーに登録された機能が選択可能機能から除かれることになる。つまり、重複して機能の能動化の方法が設けられることがないので、操作性をより高めることができる。
【発明を実施するための最良の形態】
【００３４】
〈１．デジタル複合機〉
図１は、この発明の第１の実施の形態に相当する機能が組み込まれた電子機器としてのデジタル複合機１の構成を示すブロック図である。
【００３５】
図１を参照する。このデジタル複合機１は、ＦＡＸ機能、コピー機能、スキャン機能、プリント機能などの複数の機能を有する複合機（ＭＦＰ装置）として構成されている。
【００３６】
このデジタル複合機１は、制御部１１と、ＲＡＭ１２と、ＲＯＭ１３と、操作部１４と、表示部１５と、画像処理部１６と、画像読取部１７と、画像記録部１８と、画像メモリ１９と大容量蓄積部２０と、ソフトキー管理部２１と、メニュー画面管理部２２と、通信関係の機能部２３〜２６とを、バスライン２７を介して電気的に接続した構成となっている。
【００３７】
制御部１１は、ＣＰＵで構成されている。制御部１１は、ＲＯＭ１３に記憶されたプログラムに基づいて上記のハードウエア各部を制御し、デジタル複合機１の機能を実現する。
【００３８】
ＲＡＭ１２は、読み出しと書き込みとが可能な記憶装置であり、画像データ、ＦＡＸ番号、メールアドレスなどの一時的に蓄積される諸データや、制御部１１による演算処理の際に発生するデータなどを一時的に記憶する。ＲＡＭ１２はＳＲＡＭやフラッシュメモリなどで構成される。
【００３９】
ＲＯＭ１３は、デジタル複合機１の制御に必要なプログラムやデータを予め格納した読み出し専用の記憶装置である。
【００４０】
操作部１４は、文字キー、テンキー、ファンクションキーなどの各種キーによって構成され、コマンドやテキストデータの入力といったユーザ操作を受け付ける。操作部１４が受けたユーザ操作は信号として制御部１１に入力される。制御部１１はユーザ操作に基づいて各部の動作を制御する。特に、操作部１４には、機能切り替えキー１４１は、待機画面表示の切り替えを行うための機能切り替えキー１４１とメニュー画面を表示するためのメニューキー１４２とを備えている（図２参照）。
【００４１】
表示部１５は、デジタル複合機１の動作状態や、画像データなどを表示する表示装置である。表示部１５は、液晶ディスプレイなどの表示装置により構成される。また、表示部１５のディスプレイ画面上にはタッチパネルが設けられており、操作部１４としても機能する。例えば、待機画面表示において、所定の機能が割り当てられたソフトキーがタッチパネルによって実現され、所定機能の能動化指示等のユーザ操作を受け付ける。なお、操作部１４に設けられる各種のキーは、この表示部１５のディスプレイ画面上に設けたタッチパネルによって実現されてもよい。同様に、タッチパネルによって実現されるとする各種のキーが操作部１４にハードキーとして設けられてもよい。
【００４２】
画像処理部１６は、受信された画像データや、画像読取部１７から取得した画像データにＡ／Ｄ変換、表色系の変換、色調整、画像の合成などの種々の処理を行う処理部である。
【００４３】
画像読取部１７は、原稿上の画像をＣＣＤラインセンサなどの読取素子によって読み取るスキャナーである。画像読取部１７は、ガラス台上に載置された原稿の表面を読取素子が走査して画像を読み取るタイプのスキャナーであってもよく、原稿の載置台（図示省略）に載置された原稿を、ＡＤＦ（Auto Document Feeder）によって搬送し、搬送される原稿の表面を静止した読取素子によって走査して画像を読み取るタイプのスキャナーであってもよい。
【００４４】
画像記録部１８は、画像メモリ１９に格納された画像データなどを記録紙上へ記録するプリンタである。画像記録部１８には、例えば、電子写真方式のプリンタを採用することができる。
【００４５】
画像メモリ１９は、ＬＡＮＩ／Ｆ２５やＮＣＵ２６を通じて外部装置４，５，６から受信した画像データ、画像読取部１７において取得された画像データ、画像処理部１６において処理された画像データなどを、一時的に記憶するための記憶装置である。画像メモリ１９は、読み出しと書き込みとが可能なＤＲＡＭ等のメモリにより構成される。
【００４６】
大容量蓄積部２０は、ハードディスクなどにより構成される。大容量蓄積部２０は、画像読取部１７により処理された画像データを蓄積することができる。
【００４７】
ソフトキー管理部２１は、表示部１５のディスプレイ画面上に設けられたタッチパネルによって実現されるソフトキーの管理を行うための機能部である。ソフトキー管理部２１は、ソフトキーに対する機能の登録や登録の変更を行う機能登録部２１１と、機能を登録するためのソフトキーを新たに生成するソフトキー生成部２１２とを備える。
【００４８】
機能登録部２１１は、ソフトキーに対する機能の登録や、登録された機能の変更等を行う機能部である。
【００４９】
ソフトキー生成部２１２は、登録機能部２１１によってソフトキーに登録すべき機能が指定された場合に、当該機能が登録された新たなソフトキーを生成する機能部である。
【００５０】
ソフトキー表示管理部２１３は、ソフトキー内に当該ソフトキーに登録されている機能の名称および設定状況を表示するための機能部である。
【００５１】
メニュー画面管理部２２は、メニュー画面の管理を行う機能部である。特に、メニュー画面に一覧表示される機能の生成および削除の各処理を行う。
【００５２】
さらにこのデジタル複合機１には、通信関係の機能部として、画像データ等を複数のプロトコルに対応して符号化/復号化するコーデック（ＣＯＤＥＣ）２３と、送受信データの変調および復調を行うモデム２４と、ＬＡＮ（ローカルエリアネットワーク）１００とのインターフェイスに相当するＬＡＮＩ／Ｆ２５と、電話回線の開閉制御を行うＮＣＵ２６とが、バスライン２７を介して電気的に接続した構成となっている。
【００５３】
次に、このデジタル複合機１の通信環境について説明する。デジタル複合機１は、ＬＡＮ１００と接続されている。ＬＡＮ１００にはメールサーバ３や外部端末４などが接続されている。また、ＬＡＮ１００は、ルータ２などを介してインターネット２００に接続されている。このような構成によって、デジタル複合機１は、ＬＡＮ１００を介して接続された外部端末４や、インターネット２００を介して接続された外部端末５と電子メール通信などを行うことができる。さらに、デジタル複合機１は、アナログ回線用のデータ通信ネットワークであるＰＳＴＮ（公衆交換電話網）３００と接続されている。これによって、デジタル複合機１はＰＳＴＮ３００を介して接続された外部端末６との通信を行うことができる。外部端末４，５，６は、モデム接続されたパソコン、デジタル複合機１と同様の装置、固定電話、携帯電話、ＦＡＸ専用機、等である。
【００５４】
〈２．待機画面およびメニュー画面〉
図２は、デジタル複合機１における表示部１５および操作部１４の一部分の構成例を示す図である。また、図７〜図１２は、表示部１５に表示される画面の構成例を示す図である。
【００５５】
図２を参照する。操作部１４には、４個の機能切り替えキー１４１と、１個のメニューキー１４２が設けられている。
【００５６】
機能切り替えキー１４１は、待機画面表示を切り替えるためのキーである。ここでは、デジタル複合機１の有する「コピー」「ファックス」「スキャナー」「プリンタ」の各機能にそれぞれ対応した複数個のキーが設けられており、各キーを押下すると、当該キーに対応した機能（すなわち、キー内に表示された機能）の待機画面が表示される構成となっている。例えば、ユーザが「コピー」と示された機能切り替えキー１４１を押下すると、表示部１５に図７（ａ）に示すようなコピー待機画面Ｓｃが表示される。同様に、ユーザが「ファックス」と示された機能切り替えキー１４１を押下すると、ファックス待機画面（図示省略）が表示される。他のキーについても同様である。
【００５７】
メニューキー１４２は、メニュー画面を表示するためのキーである。例えば、表示部１５にコピー待機画面Ｓｃが表示されている状態で、ユーザがメニューキー１４２を押下すると、表示部１５に図７（ｂ）に示すようなコピーメニュー画面Ｔｃが表示される。また、ファックス待機画面が表示されている場合に、ユーザがメニューキー１４２を押下すると、ファックスメニュー画面（図示省略）が表示される。
【００５８】
〈待機画面〉
図７（ａ）を参照する。コピー待機画面Ｓｃには、タッチパネルにより実現される複数個のソフトキーＰ０〜Ｐ５が表示される。なお、以下において、特に個々のソフトキーＰ０〜Ｐ５を区別しない場合には単に「ソフトキーＰ」という。ただし、図７（ａ）においては全６個のソフトキーＰが表示されているが、ソフトキーＰの総数はこれに限らない。また、後述する処理によってソフトキーＰを新たに生成することや、生成したソフトキーＰを削除することが可能となる。つまり、ソフトキーＰの総数を変更することが可能になる。
【００５９】
〈ソフトキー〉
ソフトキーＰ０〜Ｐ５は、当該ソフトキーに登録された機能を呼び出すための入力キーである。ソフトキーＰ１〜Ｐ５のそれぞれには、当該ソフトキーに登録されている機能の名称および設定状況が示される。例えば、図７（ａ）においては、ソフトキーＰ２のキー内に「倍率／１００％」との表示がされている。これは、ソフトキーＰ２に、コピー倍率設定機能が登録されていること、およびコピー倍率が１００％に設定されていることを示している。
【００６０】
ただし、ソフトキーＰ０は空白のソフトキーであり、これらの表示がなされない。また、ソフトキーＰ０は、待機画面内に配置された一連のソフトキーの並びの中で、常に、最後尾に表示される。
【００６１】
ソフトキーＰ０〜Ｐ５のいずれかが押圧されると、当該ソフトキーに登録された機能が呼び出される。例えば、ソフトキーＰ２が押圧されると、コピー倍率の設定処理に移行し、ユーザ操作に応じてコピー画像の倍率が設定される。より具体的には、ユーザがソフトキーＰ２を操作すると、当該操作に応じてコピー画像の倍率を設定するための画面が表示部１５に表示される。続いて、ユーザが当該画面表示に応じてテンキー等によって所望の倍率の値（例えば８０％）を入力すると、入力された値がコピー倍率として設定される。なお、この場合、コピー待機画面Ｓｃにおいて、ソフトキーＰ２のキー内に「倍率／８０％」との表示がされることになる。すなわち、ソフトキーＰ１〜Ｐ５の各キーを押圧することによって、コピー用紙の選択、コピー倍率の設定、コピー濃度の設定、画質の選択、ソート機能の設定、といった各種のコピー条件を設定することができる。また、ソフトキー内の表示によって、現在の設定状況を確認することができる。
【００６２】
一方、ソフトキーＰ０を押圧すると、ユーザの所望する機能の登録された新たなソフトキーを生成する機能が能動化され、コピー待機画面Ｓｃにユーザの所望する機能の登録された新たなソフトキーを生成する処理を実行させることができる。より具体的には、ユーザがソフトキーＰ０を押圧すると、当該操作に応答して、ユーザの所望する機能の登録された新たなソフトキーを生成する処理（図５のステップＳ３４以降の処理）が開始される。
【００６３】
なお、ソフトキーＰは、場面に応じて割り当てられた機能を入力可能なキー（換言すると、場面に応じた機能をユーザに提供可能なキー）である。例えば、ソフトキーＰ２は、コピー待機画面Ｓｃにおいてはユーザに「コピー倍率設定機能」を提供するためのキーとして、ファックス待機画面においては例えば「リダイヤル機能」を提供するためのキーとして、機能する。
【００６４】
なお、ソフトキーＰ０については、各種の待機画面について同様の機能（すなわち、ユーザの所望する機能の登録された新たなソフトキーを生成する機能）が割り当てられている。ただし、コピー待機画面ＳｃにあるソフトキーＰ０には、コピー待機画面Ｓｃにユーザの所望する機能の登録された新たなソフトキーを生成する機能が登録されており、ファックス待機画面にあるソフトキーＰ０には、ファックス待機画面にユーザの所望する機能の登録された新たなソフトキーを生成する機能が登録されている。他の待機画面にあるソフトキーＰ０についても同様である。
【００６５】
〈メニュー画面〉
図７（ｂ）を参照する。コピーメニュー画面Ｔｃには、コピー処理に関する所定の機能が一覧表示される。以下において、一覧表示される機能の各項目をそれぞれ「機能表示項目Ｍ１〜Ｍ６」という。また、以下において、特に個々の項目を区別しない場合には単に「機能項目Ｍ」という。なお、以下においてはコピーメニュー画面Ｔｃについて説明しているが、ファックスメニュー画面等の他メニュー画面も、コピーメニュー画面Ｔｃと同様の構成を有している。
【００６６】
コピーメニュー画面Ｔｃには、デジタル複合機１の備える各種の機能において主にコピー処理に関する機能のうち、コピー待機画面Ｓｃに設けられたソフトキーＰに登録された機能を除く機能が、機能表示項目Ｍとして表示される。したがって、表示される機能表示項目Ｍの総数は、デジタル複合機１が有する機能の総数とソフトキーＰの総数に依存する。例えば、デジタル複合機１が両面コピー機能を有しており、かつ両面コピー機能がコピー待機画面ＳｃにあるソフトキーＰのいずれにも登録されていない場合、コピーメニュー画面Ｔｃに「両面コピー」と表示される機能表示項目Ｍ５が表示される。
【００６７】
コピーメニュー画面Ｔｃは、機能の選択画面としても機能する。すなわち、ユーザは、コピーメニュー画面Ｔｃに一覧表示された機能表示項目Ｍ１〜Ｍ６のいずれかをテンキー等を操作して選択した上で所定の実行キー（図示省略）を操作することによって、選択した機能表示項目Ｍ１〜Ｍ６内に表示された機能を能動化させることができる。例えば、ユーザは、「両面コピー」と表示された機能表示項目Ｍ５を選択した上で実行キーを押下することによって、両面コピー機能を能動化させることができる。
【００６８】
〈３．ソフトキーの設定処理〉
この発明の第１の実施の形態に相当する機能が組み込まれたデジタル複合機１においては、各待機画面にあるソフトキーＰに関する各種の設定がユーザ操作に応じて行われる。
【００６９】
以下において、ソフトキーＰの設定処理動作について説明する。なお、以下に説明するように、この実施形態の装置はユーザの所定の操作に応答して新たなソフトキーを生成する機能を持つが、この機能は２つの観点から表現できる。図１５および図１６はこの事情を説明する図であり、これらの図においてハッチングを付したソフトキーＰａ〜Ｐｍは既に機能が割り当てられて登録されたソフトキーであり、図７（ａ）の例ではソフトキーＰ１〜Ｐ５に相当する。また、空白のソフトキーＰ０は未登録ソフトキーであり、「ＮＥＷ」が付記されたキーは、新たに生成されるソフトキーである。
【００７０】
第１の観点では、ソフトキー配列Ｓａ１（図１５）の状態で新たなソフトキー機能を追加すると、ソフトキー配列Ｓａ２（図１５）に示すように、当該機能を登録した新たなソフトキーＰｎが未登録キーＰ０の前に割り込むように生成され、未登録キーＰ０が最後尾に移動する。
【００７１】
一方、第２の観点では、ユーザがソフトキー配列Ｓｂ１（図１６）中に含まれる未登録キーＰ０に機能を新たに登録すると、ソフトキー配列Ｓｂ２（図１６）に示すように未登録キーＰ０が機能登録済のソフトキーＰｎに変化するとともに、新たな未登録ソフトキーＰＳがソフトキー配列の末尾に生成され、この未登録ソフトキーＰＳが元の未登録ソフトキーＰ０と同様の地位を占めるようになる。
【００７２】
これら２つの観点のいずれで表現しても、ユーザから見たソフトキー配列の状態変化は実質的に同一であり、２つの観点は思想的には共通するものがある。以下では第１の観点からの実施形態を説明する。また、変形例（「３−３．ソフトキーの設定処理動作の変形例」）として、第２の観点からの実施形態を説明する。
【００７３】
〈３−１．処理概要〉
図３は、この発明の第１の実施の形態に相当する機能が組み込まれたデジタル複合機１において、ソフトキーＰの設定を行う際の処理動作を示すフローチャートである。ただし、特に記載のない場合、以下の動作は制御部１１の制御下で自動に行われる。
【００７４】
はじめに、コピー待機画面Ｓｃ（図７（ａ））が表示部１５に表示されている状態において（ステップＳ１）、ソフトキーＰ０が押圧されたか否かが判断される（ステップＳ２）。なお、ここでは、コピー待機画面Ｓｃが表示されている状態から処理が行われる場合について説明しているが、他の待機画面であっても同様の処理が実行可能である。
【００７５】
ステップＳ２で、ソフトキーＰ０が押圧されたと判断された場合、続いてステップＳ９の処理に移行する。（より具体的には、ステップＳ９の一連の処理の中のステップＳ３４（図５参照）に移行する。ステップＳ９として行われる一連の処理動作については後に詳述する。）。
【００７６】
ステップＳ２で、ソフトキーＰ０が押圧されていないと判断された場合、続いてメニューキー１４１が押下されたか否かが判断される（ステップＳ３）。
【００７７】
ステップＳ３で、メニューキー１４１が押下されたと判断された場合、コピーメニュー画面Ｔｃ（図７（ｂ））が表示部１５に表示される（ステップＳ４）。一方、ステップＳ３でメニューキー１４１が押下されていないと判断された場合は、ステップＳ２の判断に戻る。
【００７８】
ステップＳ４で表示されたコピーメニュー画面Ｔｃから、機器設定機能を呼び出すための所定のユーザ操作が行われた場合（より具体的には、表示されているコピーメニュー画面Ｔｃにおいて「機器設定」（図７（ｂ）においては機能表示項目Ｍ６）の項目が選択された上で実行キーが操作された場合）、機器設定画面Ｋ１（図８（ａ））が表示部１５に表示される（ステップＳ５）。機器設定画面Ｋ１は、デジタル複合機１の各種設定（すなわち、「機器管理」や「設置モード」等）のうちユーザが実行を所望する設定処理を、ユーザに選択させるための画面である。
【００７９】
ステップＳ５で表示された機器設定画面Ｋ１から、機器管理機能を呼び出すための所定のユーザ操作が行われた場合（より具体的には、表示されている機器設定画面Ｋ１において「機器管理」として表示される項目が選択された上で実行キーが操作された場合）、機器管理画面Ｋ２（図８（ｂ））が表示部１５に表示される（ステップＳ６）。機器管理画面Ｋ２は、デジタル複合機１の管理状況についての各種設定（すなわち、「ソフトキー設定」や「待機画面表示設定」等）のうちユーザが実行を所望する設定処理をユーザに選択させるための画面である。
【００８０】
ステップＳ６で表示された機器管理画面Ｋ２から、ソフトキー設定処理の実行指示がユーザより与えられた場合（より具体的には、表示されている機器管理画面Ｋ２において「ソフトキー設定」として表示される項目が選択された上で実行キーが操作された場合）、待機画面選択画面Ｋ３（図８（ｃ））が表示部１５に表示される（ステップＳ７）。待機画面選択画面Ｋ３は、ソフトキー設定を行う待機画面の種類（すなわち、コピー、ファックス、スキャナー、プリンタの各待機画面）のうちユーザが設定を所望するソフトキーが配置されている待機画面をユーザに選択させるための画面である。
【００８１】
続いて、ステップＳ７で表示された待機画面選択画面Ｋ３から、コピー待機画面Ｓｃが選択されたか否か（より具体的には、「コピー待機画面」として表示される項目が選択された上で実行キーが操作されたか否か）、が判断される（ステップＳ８）。
【００８２】
ステップＳ８で、コピー待機画面Ｓｃが選択されたと判断された場合、コピー待機画面ＳｃにあるソフトキーＰの設定処理を行う（ステップＳ９）。なお、ステップＳ９として行われる具体的な処理については後に詳述する（図４参照）。
【００８３】
ステップＳ８で、コピー待機画面Ｓｃが選択されたと判断されない場合、続いて、ファックス待機画面が選択されたか否かが判断される（ステップＳ１０）。ステップＳ１０で、ファックス待機画面が選択されたと判断された場合、ファックス待機画面にあるソフトキーＰの設定処理を行う（ステップＳ１１）。なお、ステップＳ１１として行われる具体的な処理はステップＳ９として行われる処理と同様である。
【００８４】
ステップＳ１０で、ファックス待機画面が選択されたと判断されない場合、続いて、スキャナー待機画面が選択されたか否かが判断される（ステップＳ１２）。ステップＳ１２で、スキャナー待機画面が選択されたと判断された場合、スキャナー待機画面にあるソフトキーＰの設定処理を行う（ステップＳ１３）。なお、ステップＳ１３として行われる具体的な処理はステップＳ９として行われる処理と同様である。
【００８５】
ステップＳ１２で、スキャナー待機画面が選択されたと判断されない場合、続いて、プリンタ待機画面が選択されたか否かが判断される（ステップＳ１４）。ステップＳ１４で、プリンタ待機画面が選択されたと判断された場合、プリンタ待機画面にあるソフトキーＰの設定処理を行う（ステップＳ１５）。なお、ステップＳ１５として行われる具体的な処理はステップＳ９として行われる処理と同様である。
【００８６】
ステップＳ１４で、プリンタ待機画面が選択されたと判断されない場合、再びステップＳ８の処理に戻る。
【００８７】
〈３−２．ソフトキーの設定処理動作〉
図４は、コピー待機画面ＳｃにあるソフトキーＰの設定処理動作（すなわち、図３のステップＳ９として行われる処理動作）を示すフローチャートである。ただし、特に記載のない場合、以下の動作は制御部１１の制御下で自動に行われる。なお、図３のステップＳ１１，Ｓ１３，Ｓ１５として行われる各処理動作（すなわち、ファックス待機画面、スキャナー待機画面、プリンタ待機画面のそれぞれにあるソフトキーＰの設定処理動作）についても以下の処理と同様である。
【００８８】
はじめに、設定内容選択画面Ｋ４（図８（ｄ））が表示部１５に表示される（ステップＳ２１）。設定内容選択画面Ｋ４は、ソフトキー設定の処理種別（すなわち、ソフトキーの「初期化」、ソフトキーに対する機能の「登録」もしくは登録されている機能の「変更」、ソフトキーの「削除」）のうちユーザが所望する処理種別をユーザに選択させるための画面である。
【００８９】
続いて、ステップＳ２１で表示された設定内容選択画面Ｋ４から、ソフトキーの設定の処理種別として、機能登録／変更（機能の登録処理もしくは登録されている機能の変更処理）が選択されたか否か（より具体的には、「登録／変更」として表示される項目が選択された上で実行キーが操作されたか否か）が判断される（ステップＳ２２）。
【００９０】
ステップＳ２２で、機能登録／変更が選択されたと判断された場合、ソフトキーＰに対する機能の登録処理や登録された機能の変更処理を行う（ステップＳ２３）。なお、ステップＳ２３として行われる具体的な処理については後に詳述する（図５参照）。
【００９１】
ステップＳ２２で、機能登録／変更が選択されたと判断されない場合、続いて、ソフトキーの設定の処理種別としてソフトキーの削除が選択されたか否か（より具体的には、「削除」として表示される項目が選択された上で実行キーが操作されたか否か）が判断される（ステップＳ２４）。
【００９２】
ステップＳ２４で、ソフトキーの削除が選択されたと判断された場合、ソフトキーＰの削除処理を行う（ステップＳ２５）。なお、ステップＳ２５として行われる具体的な処理については後に詳述する（図６参照）。
【００９３】
ステップＳ２４で、ソフトキーの削除が選択されたと判断されない場合、続いて、ソフトキーの設定の処理種別としてソフトキーの初期化が選択されたか否か（より具体的には、「初期化」として表示される項目が選択された上で実行キーが操作されたか否か）が判断される（ステップＳ２６）。
【００９４】
ステップＳ２６で、ソフトキーの初期化が選択されたと判断された場合、ソフトキーＰの初期化処理を行う（ステップＳ２７）。ステップＳ２７においては、コピー待機画面ＳｃのソフトキーＰを、デフォルトとして予め記憶されている設定状態にする処理が行われる。すなわち、予め設定された所定の機能が登録された所定数個のソフトキーＰを所定順でコピー待機画面Ｓｃに配置する。
【００９５】
〈機能の登録／登録された機能の変更〉
図５は、コピー待機画面ＳｃにあるソフトキーＰに対する機能の登録および登録されている機能の変更を行う際の処理動作（すなわち、図４のステップＳ２３として行われる処理動作）を示すフローチャートである。ただし、特に記載のない場合、以下の動作は制御部１１の制御下で自動に行われる。
【００９６】
はじめに、キー選択画面Ｋ５（図９（ａ））が表示部１５に表示される（ステップＳ３１）。キー選択画面Ｋ５は、ユーザに、ソフトキーＰに対する機能の登録処理と登録されている機能の変更処理とのいずれの処理を実行するか、さらに変更処理を実行する場合にあっては、コピー待機画面Ｓｃ上にあるうちのいずれのソフトキーＰに対して機能登録の変更を実行するか、を選択させるための画面である。
【００９７】
例えば、コピー待機画面Ｓｃに図７（ａ）に示すようなソフトキーＰがそれぞれ設けられている場合、キー選択画面Ｋ５には、ソフトキーＰ１〜Ｐ５の各キーに対応する「キー項目Ｑ１〜Ｑ５」が一覧表示される。各キー項目Ｑ１〜Ｑ５内には、対応するソフトキーＰ内に表示された機能の名称（すなわち、当該キーに登録されている機能の名称）が表示される。ユーザは、キー選択画面Ｋ５に表示されたキー項目Ｑ１〜Ｑ５のいずれかをテンキー等を操作して選択した上で所定の実行キー（図示省略）を操作することによって、選択したキー項目Ｑに対応するソフトキーＰに登録された機能の変更処理を実行させることができる。例えば、ユーザがキー項目Ｑ２を選択した場合、当該キー項目Ｑ２に対応するソフトキーＰ２に登録された機能を「コピー倍率設定機能」から任意の他の機能に変更することができる。
【００９８】
キー選択画面Ｋ５には、これらキー項目Ｑ１〜Ｑ５に加えて、キー項目Ｑ０が表示される。キー項目Ｑ０内には「未登録」と表示されている。ユーザは、キー項目Ｑ０をテンキー等を操作して選択した上で所定の実行キー（図示省略）を操作することによって、ソフトキーＰに対する機能の登録処理を実行させることができる。なお、キー項目Ｑ０は、ソフトキーＰ０に対応するキー項目と捉えてもよい。なお、以下において、特に個々の項目を区別しない場合には単に「キー項目Ｑ」という。
【００９９】
続いて、ステップＳ３１で表示されたキー選択画面Ｋ５から、いずれかのキー項目Ｑが選択された上で実行キーが操作されたか否かが判断される（ステップＳ３２）。
【０１００】
ステップＳ３２で、キー項目Ｑの選択が行われたと判断された場合、続いて当該選択されたキー項目Ｑが「未登録」と表示されたキー項目Ｑ０（すなわち、ソフトキーＰに対する機能の登録処理を実行させるキー項目）であるか否かが判断される（ステップＳ３３）。
【０１０１】
ステップＳ３３で、キー項目Ｑ０が選択されたと判断された場合、もしくは、コピー待機画面ＳｃにおいてソフトキーＰ０が押圧された場合（図３のステップＳ２でＹＥＳの場合）、ソフトキーＰに対する機能の登録処理、換言すると、ユーザの所望する機能が登録されたソフトキーＰを新たにコピー待機画面Ｓｃに生成する処理が行われる（ステップＳ３４〜Ｓ３７）。
【０１０２】
はじめに、登録機能選択画面Ｋ６（図９（ｂ））が表示部１５に表示される（ステップＳ３４）。登録機能選択画面Ｋ６は、登録を所望する機能の種類をユーザに選択させるための画面である。
【０１０３】
すなわち、登録機能選択画面Ｋ６には、コピー待機画面Ｓｃに登録可能な機能（すなわち、デジタル複合機１の備える各種の機能において主にコピー処理に関する機能のうち、コピー待機画面Ｓｃに設けられたソフトキーＰに登録された機能を除く機能）が、「機能項目Ｒ」として表示される。つまり、現状において、ソフトキーＰからではなく、メニュー画面からでなければ機能の能動化ができない機能、が一覧表示される。
【０１０４】
例えば、コピー待機画面Ｓｃに図７（ａ）に示すようなソフトキーＰがそれぞれ設けられている場合、登録機能選択画面Ｋ６には、ソフトキーＰに登録されている機能以外の機能に対応する「機能項目Ｒ１〜Ｒ６」が一覧表示される。また、各機能項目Ｒ１〜Ｒ６内には、対応する機能の名称が表示される。
【０１０５】
ユーザは、登録機能選択画面Ｋ６に表示された機能項目Ｒ１〜Ｒ６のいずれかをテンキー等を操作して選択した上で所定の実行キー（図示省略）を操作することによって、新たに生成されるソフトキーＰに対して登録する機能を選択することができる。
【０１０６】
続いて、ステップＳ３４で表示された登録機能選択画面Ｋ６から、登録すべき機能が選択されたか否かが判断される（ステップＳ３５）。
【０１０７】
ステップＳ３５で、登録すべき機能が選択されたと判断された場合、当該選択された機能が登録された新たなソフトキーＰが生成される（ステップＳ３６）。より具体的には、コピー待機画面Ｓｃに設定すべき新たなソフトキーＰを生成し、この新たなソフトキーＰに対してステップＳ３５で選択された機能を登録する。例えば、ステップＳ３５で、機能項目Ｒ１が選択されたと判断された場合、機能項目Ｒ１に対応する機能である「集約コピー機能」が登録されたソフトキーＰ６がコピー待機画面Ｓｃに表示すべきソフトキーＰとして生成される（図１０（ａ））。なお、新たに生成されたソフトキーＰ６は、待機画面内に配置された一連のソフトキーの並びの中でソフトキーＰ０よりも前側に配置される。つまり、ソフトキーＰ０は、新たなソフトキーＰが追加された場合であっても、常に、待機画面内に配置された一連のソフトキーの並びの中で、最後尾に表示される。
【０１０８】
続いて、コピーメニュー画面Ｔｃに表示される機能表示項目Ｍのうち、ステップＳ３５で選択された機能を表示する機能表示項目Ｍが削除される（ステップＳ３７）。例えば、ステップＳ３５で、「集約コピー機能」に対応する機能項目Ｒ１が選択されている場合、当該機能を表示する機能表示項目Ｍ１がコピーメニュー画面Ｔｃより削除される（図１０（ｂ））。
【０１０９】
ステップＳ３３で、キー項目Ｑ０が選択されたと判断されない場合、ソフトキーＰ（より具体的には、コピー待機画面ＳｃにあるソフトキーＰのうちでソフトキーＰ０を除く任意のソフトキーＰ）に対して登録されている機能の変更処理が行われる（ステップＳ３８〜Ｓ４２）。
【０１１０】
はじめに、登録機能選択画面Ｋ６（図９（ｂ））が表示部１５に表示される（ステップＳ３８）。ここでは、登録機能選択画面Ｋ６は、ユーザがステップＳ３２で選択したキー項目Ｑに対応するソフトキーＰに対して現在登録されている機能に変えて新たに登録を所望する機能の種類をユーザに選択させるための画面として機能する。
【０１１１】
続いて、ステップＳ３８で表示された登録機能選択画面Ｋ６から、現在登録されている機能に変えて新たに登録すべき機能が選択されたか否かが判断される（ステップＳ３９）。
【０１１２】
ステップＳ３９で、現在登録されている機能に変えて新たに登録するべき機能が選択されたと判断された場合、当該選択された機能が、ステップＳ３２で選択されたソフトキーＰに対して登録される（ステップＳ４０）。例えば、ステップＳ３２でキー項目Ｑ２（「倍率」）が選択され、ステップＳ３９で機能項目Ｒ６（「両面コピー」）が選択された場合、キー項目Ｑ２に対応するソフトキーＰ２に対して、コピー倍率調整機能に変えて両面コピー機能が登録されるとともに、ソフトキーＰ２の表示が「倍率／１００％」から「両面コピー／ＯＦＦ」に変更される（図１１（ａ））。
【０１１３】
続いて、コピーメニュー画面Ｔｃに表示される機能表示項目Ｍのうち、ステップＳ３９で選択された機能を表示する機能表示項目Ｍが削除される（ステップＳ４１）。例えば、上記の例の場合、ステップＳ３９で選択された機能項目Ｒ５に対応する機能を表示する機能表示項目Ｍ５がコピーメニュー画面Ｔｃより削除される（図１１（ｂ））。
【０１１４】
続いて、コピーメニュー画面Ｔｃに表示される機能表示項目Ｍとして、ステップＳ３２で選択されたソフトキーＰに対して変更前に登録されていた機能を表示する機能表示項目Ｍが生成される（ステップＳ４２）。例えば、上記の例においては、ステップＳ３２で選択されたキー項目Ｑ２に対応するソフトキーＰ２に対して変更処理前に登録されていた機能（「コピー倍率調整機能」）を表示する機能表示項目Ｍ７がコピーメニュー画面Ｔｃに表示される（図１１（ｂ））。
【０１１５】
〈削除処理〉
図６は、コピー待機画面ＳｃにあるソフトキーＰの削除を行う際の処理動作（すなわち、図４のステップＳ２５として行われる処理動作）を示すフローチャートである。ただし、特に記載のない場合、以下の動作は制御部１１の制御下で自動に行われる。
【０１１６】
はじめに、キー選択画面Ｋ５（図９（ａ））が表示部１５に表示される（ステップＳ５１）。ここでは、キー選択画面Ｋ５は、コピー待機画面Ｓｃ上にあるソフトキーＰのうちから、削除を所望するソフトキーＰをユーザに選択させるための画面として機能する。
【０１１７】
続いて、ステップＳ５１で表示されたキー選択画面Ｋ５から、いずれかのキー項目Ｑが選択された上で実行キーが操作されたか否かが判断される（ステップＳ５２）。
【０１１８】
ステップＳ５２で、キー項目Ｑの選択が行われたと判断された場合、当該選択されたキー項目Ｑに対応するソフトキーＰが削除される（ステップＳ５３）。例えば、ステップＳ５２で、キー項目Ｑ４（「画質」）が選択されたと判断された場合、キー項目Ｑ４に対応するソフトキーＰ４がコピー待機画面Ｓｃより削除される（図１２（ａ））。
【０１１９】
続いて、コピーメニュー画面Ｔｃに表示される機能表示項目Ｍとして、ステップＳ５２で選択されたキー項目Ｑに対応するソフトキーＰに対して登録されていた機能を表示する機能表示項目Ｍが生成される（ステップＳ５４）。例えば、上記の例においては、ステップＳ５２で選択されたキー項目Ｑ４に対応するソフトキーＰ４に対して登録されていた機能（「コピー画質調整機能」）を表示する機能表示項目Ｍ８がコピーメニュー画面Ｔｃに表示される（図１２（ｂ））。
【０１２０】
〈３−３．ソフトキーの設定処理動作（機能の登録／変更処理）の変形例〉
図１３は、コピー待機画面ＳｃにあるソフトキーＰに対する機能の登録および登録されている機能の変更を行う際の処理動作（すなわち、図４のステップＳ２３として行われる処理動作）の変形例を示すフローチャートである。
【０１２１】
以下の変更処理動作は上述したデジタル複合機１の機能構成において実現される。ただし、ここでは、上述のソフトキー生成部２１２は、任意の機能が登録可能な未登録状態のソフトキー（ソフトキーＰ０）を生成する機能部として構成される。後述するように、ソフトキー２１２は、未登録ソフトキーに対して機能の登録が行われた場合に、新たに未登録ソフトキーを生成する。なお、特に記載のない場合、以下の動作は制御部１１の制御下で自動に行われる。
【０１２２】
はじめに、キー選択画面Ｋ５（図９（ａ））が表示部１５に表示される（ステップＳ６１）。
【０１２３】
ここでは、キー選択画面Ｋ５は、ユーザに、コピー待機画面Ｓｃ上にあるうちのいずれのソフトキーＰに対して機能登録の変更を実行するか、を選択させるための画面として機能する。
【０１２４】
例えば、コピー待機画面Ｓｃに図７（ａ）に示すようなソフトキーＰがそれぞれ設けられている場合、キー選択画面Ｋ５には、ソフトキーＰ０〜Ｐ５の各キーに対応する「キー項目Ｑ０〜Ｑ５」が一覧表示される。各キー項目Ｑ１〜Ｑ５内には、対応するソフトキーＰ内に表示された機能の名称（すなわち、当該キーに登録されている機能の名称）が表示される。また、「空白」のソフトキーＰ０に対応するキー項目Ｑ０内には「未登録」との表示がなされる。
【０１２５】
ユーザは、キー選択画面Ｋ５に表示されたキー項目Ｑ０〜Ｑ５のいずれかをテンキー等を操作して選択した上で所定の実行キー（図示省略）を操作することによって、選択したキー項目Ｑに対応するソフトキーＰに登録された機能の変更処理を実行させることができる。また、ユーザは、キー項目Ｑ０をテンキー等を操作して選択した上で所定の実行キー（図示省略）を操作することによって、キー項目Ｑ０に対応するソフトキーＰ０に対して所望の機能を登録することができる。
【０１２６】
続いて、ステップＳ６１で表示されたキー選択画面Ｋ５から、いずれかのキー項目Ｑが選択された上で実行キーが操作されたか否かが判断される（ステップＳ６２）。
【０１２７】
ステップＳ６２で、キー項目Ｑの選択が行われたと判断されると、続いて、登録機能選択画面Ｋ６（図９（ｂ））が表示部１５に表示される（ステップＳ６３）。ここでは、登録機能選択画面Ｋ６は、ユーザがステップＳ５２で選択したキー項目Ｑに対応するソフトキーＰに対して新たに登録を所望する機能の種類をユーザに選択させるための画面として機能する。
【０１２８】
続いて、ステップＳ６３で表示された登録機能選択画面Ｋ６から、新たに登録すべき機能が選択されたか否かが判断される（ステップＳ６４）。
【０１２９】
ステップＳ６４で、新たに登録するべき機能が選択されたと判断された場合、当該選択された機能が、ステップＳ６２で選択されたソフトキーＰに対して登録される（ステップＳ６５）。例えば、ステップＳ６３でキー項目Ｑ０（「未登録」）が選択され、ステップＳ６４で機能項目Ｒ１（「集約コピー」）が選択された場合、キー項目Ｑ０に対応するソフトキーＰ０に対して、「集約コピー機能」が登録されてソフトキーＰ６とされるとともに、ソフトキーＰ６内に「集約コピー／ＯＦＦ」の表示がされる（図１０（ａ））。
【０１３０】
続いて、コピーメニュー画面Ｔｃに表示される機能表示項目Ｍのうち、ステップＳ６４で選択された機能を表示する機能表示項目Ｍが削除される（ステップＳ６６）。例えば、上記の例の場合、ステップＳ６４で選択された機能項目Ｒ１に対応する機能を表示する機能表示項目Ｍ１がコピーメニュー画面Ｔｃより削除される（図１０（ｂ））。
【０１３１】
続いて、ステップＳ６２で選択されたキー項目Ｑがキー項目Ｑ０（すなわち、ソフトキーＰ０に対応するキー項目）であるか否かが判断される（ステップＳ６７）。
【０１３２】
ステップＳ６７で、キー項目Ｑ０が選択されたと判断された場合、続いて、空白のソフトキーＰ０がコピー待機画面Ｓｃに表示すべきソフトキーとして生成される（図１０（ａ））（ステップＳ６８）。なお、生成されたソフトキーＰ０は、待機画面内に配置された一連のソフトキーＰの並びの中で最後尾に配置される。
【０１３３】
ステップＳ６７で、キー項目Ｑ０が選択されたと判断されない場合、続いて、コピーメニュー画面Ｔｃに表示される機能表示項目Ｍとして、ステップＳ６２で選択されたソフトキーＰに対して変更前に登録されていた機能を表示する機能表示項目Ｍが生成される（ステップＳ６９）。
【０１３４】
〈４．第２の実施の形態〉
図１４は、第２の実施の形態に相当する機能が組み込まれたデジタル複合機１の表示部１５および操作部１４の一部分の構成の変形例を示す図である。なお、以下においては第１の実施の形態と相違する点のみを説明する。
【０１３５】
第２の実勢の形態においては、操作部１４には、第１の実施の形態と同様のキー（機能切り替えキー１４１、メニューキー１４２）の他に、機能登録キー１４３が設けられている。
【０１３６】
機能登録キー１４３は、第１の実施の形態におけるソフトキーＰ０と同様の機能を有するキーである。すなわち、機能登録キー１４３を押下すると、ユーザの所望する機能の登録された新たなソフトキーを生成する処理が開始される。より具体的には、表示部１５にコピー待機画面Ｓｃが表示されている状態において、ユーザが機能登録キー１４３を押下すると、当該操作に応じて、コピー待機画面Ｓｃにユーザの所望する機能の登録された新たなソフトキーを生成する処理（図５のステップＳ２４以降の処理）が開始される。
【図面の簡単な説明】
【０１３７】
【図１】第１の実施の形態に係るデジタル複合機の構成を示すブロック図である。
【図２】表示部および操作部の一部分の構成例を示す図である。
【図３】ソフトキーの設定を行う際の処理動作を示すフローチャートである。
【図４】コピー待機画面にあるソフトキーの設定処理動作を示すフローチャートである。
【図５】コピー待機画面にあるソフトキーに対する機能の登録および登録されている機能の変更を行う際の処理動作を示すフローチャートである。
【図６】コピー待機画面にあるソフトキーの削除を行う際の処理動作を示すフローチャートである。
【図７】コピー待機画面およびコピーメニュー画面の構成例を示す図である。
【図８】機器設定画面、機器管理画面、待機画面選択画面、設定内容選択画面、それぞれの構成例を示す図である。
【図９】キー選択画面、登録機能選択画面、それぞれの構成例を示す図である。
【図１０】ユーザの所望する機能の登録された新たなソフトキーが生成された場合のコピー待機画面およびコピーメニュー画面の構成例を示す図である。
【図１１】登録された機能の変更処理が行われた場合のコピー待機画面およびコピーメニュー画面の構成例を示す図である。
【図１２】ソフトキーの削除処理が行われた場合のコピー待機画面およびコピーメニュー画面の構成例を示す図である。
【図１３】コピー待機画面にあるソフトキーに対する機能の登録および登録されている機能の変更を行う際の処理動作を示すフローチャートである。
【図１４】表示部および操作部の一部分の構成例を示す図である。
【図１５】新たなソフトキーを生成する機能を表現する第１の説明図である。
【図１６】新たなソフトキーを生成する機能を表現する第２の説明図である。
【符号の説明】
【０１３８】
１  デジタル複合機
２１  ソフトキー管理部
２２  メニュー画面管理部
２１１  機能登録部
２１２  ソフトキー生成部
２１３  ソフトキー表示管理部
Ｓｃ  コピー待機画面
Ｔｃ  コピーメニュー画面
Ｐ  ソフトキー
Ｍ  機能表示項目
【図１】
2007194705.tif 000003
【図２】
2007194705.tif 000004
【図３】
2007194705.tif 000005
【図４】
2007194705.tif 000006
【図５】
2007194705.tif 000007
【図６】
2007194705.tif 000008
【図７】
2007194705.tif 000009
【図８】
2007194705.tif 000010
【図９】
2007194705.tif 000011
【図１０】
2007194705.tif 000012
【図１１】
2007194705.tif 000013
【図１２】
2007194705.tif 000014
【図１３】
2007194705.tif 000015
【図１４】
2007194705.tif 000016
【図１５】
2007194705.tif 000017
【図１６】
2007194705.tif 000018